(57)【要約】【課題】  消雪機能を備える筒網体を、横葺き屋根上の所望位置に容易に設置できる消雪金具を提供する。【解決手段】  筒網体１の背部に回動固定自在とした所定長さの連結杆２を付設し、前記連結杆２の端部に、一端側を蝶結又は係止連結し、他端側を上下開口自在とした上下挟持板３１，３２と、上下挟持板を貫通するボルト３３及び緊締ナット３４とを備えて横葺き屋根の巻きハゼ部分を挟持して固定する屋根装着部３を、連結杆２を前記貫通ボルト３３に被挿して回動固定自在に設けてなる。【選択図】  図１
2005048424.tif 000002
【特許請求の範囲】
【請求項１】
筒網体の背部に回動固定自在とした所定長さの連結杆を付設し、前記連結杆の端部に、横葺き屋根の巻きハゼ部分を挟持して固定される屋根装着部を、回動固定自在に設けてなることを特徴とする屋根用消雪金具
【請求項２】
屋根装着部を、一端側を蝶結又は係止連結し、他端側を上下開口自在とした上下挟持板と、上下挟持板を貫通するボルト及び緊締ナットで構成し、連結杆を前記貫通ボルトに被挿して屋根装着部の回動固定を実現してなる請求項１記載の屋根用消雪金具。
【発明の詳細な説明】
【技術分野】
【０００１】
本発明は、屋根に設置される消雪金具に関するものである。
【背景技術】
【０００２】
屋根上に筒網体を設置することで、屋根積雪の融雪を促進する器具は知られている（特許文献１，２）。そして筒網体の屋根への設置手段として、屋根係止金具で吊り下げ支持したり（特許文献１）、屋根に装着される雪止め金具に付設している（特許文献２）。
【０００３】
【特許文献１】登録実用新案第３０２１１８０号公報。
【特許文献２】特開平９−２３５８４０号公報。
【発明の開示】
【発明が解決しようとする課題】
【０００４】
屋根融雪を促進する筒網体の設置箇所は、屋根形状と屋根装着機構の組み合わせで任意箇所にできたり、特定されたりする。例えば、特許文献２に記載されている例として縦葺き屋根（瓦棒屋根、折版屋根、縦平葺屋根等）に対する装着箇所は、巻きハゼ部分のいずれの箇所でも選択できるので融雪用筒網体も所望位置に設置できる。
【０００５】
しかし横葺き屋根においては、屋根への装着箇所となる巻きハゼ部分が、屋根の峰から裾まで連続的に設けられておらず、横方向に間欠的に形成されている。このため横葺き屋根においては、設置箇所が特定されてしまい、筒網体を屋根の峰から裾まで多段に設置する場合に最適間隔を保つことはできないし、一段配置の場合にも、軒先に近い最適位置への設置が困難な場合がある。
【０００６】
そこで本発明は、筒網体に屋根装着位置の変更が可能な屋根装着部を付設した新規な消雪金具を提案したものである。
【課題を解決するための手段】
【０００７】
本発明に係る消雪金具は、筒網体の背部に回動固定自在とした所定長さの連結杆を付設し、前記連結杆の端部に、横葺き屋根の巻きハゼ部分を挟持して固定される屋根装着部を、回動固定自在に設けてなることを特徴としたものである。
【０００８】
また特に屋根装着部を、一端側を蝶結又は係止連結し、他端側を上下開口自在とした上下挟持板と、上下挟持板を貫通するボルト及び緊締ナットで構成し、連結杆を前記貫通ボルトに被挿して屋根装着部の回動固定を実現してなるものである。
【発明の効果】
【０００９】
従って筒網体を所望の箇所に配置し、当該位置において、屋根装着部が装着可能に位置するように連結杆を所定の方向に設定すると共に固定し、連結杆の方向に対応して屋根装着部が巻きハゼに正対するように回動させて巻きハゼに装着することで、筒網体を屋根上の所望箇所に設置することができるものである。
【発明を実施するための最良の形態】
【００１０】
次に本発明の実施の形態について説明する。実施形態に示した屋根用消雪金具は、筒網体1と、連結杆２と、屋根装着部３とで構成される。
【００１１】
筒網体1は、長手方向に平行に配置したベース横杆１１と、ベース横杆１１と直交して所定間隔で連結固定（溶着）したベース縦杆１２とで梯子状のベース部を構成する。尚ベース縦杆１２は、後方ベース横杆１１よりも後方に突出させると共に、扁平Ｕ状として後端部にボルト１３を挿通し、ナット１４を緊締することで、ベース部全体にわたって張った波板１５を上下方向から挟持してなる。
【００１２】
更にベース部上には、前後ベース横杆１１にアーチ状の膨出縦杆１６を架設し、膨出縦杆１６と格子状に連結する網横杆１７を組み込み、更に網板１８を張設して全体を筒網形状に形成する。
【００１３】
連結杆２は、所定の長さで、両端にボルト孔を設けたものであり、一端のボルト孔にはベース縦杆１２に挿通したボルト１３を挿通して、ベース縦杆１２による波板１５の挟持と同時にベース縦杆１２と連結固定する。また他方のボルト孔は、後述する屋根装着部３の貫通ボルト３３を挿通してなる。
【００１４】
屋根装着部３は、上下挟持板３１，３２を備え、上下挟持板３１，３２は、基部（一端側）が受け孔と差込部の組み合わせで、他端側を上下開口自在としたもので、上下挟持板３１，３２には各々ボルト孔を形成し、各ボルト孔及び連結杆２のボルト孔を貫通する貫通ボルト３３を装着すると共に、貫通ボルト３３に緊締ナット３４を螺合してなるものである。
【００１５】
而してナット１４，３４を緩め、筒網体１を所望の箇所に位置せしめ、屋根装着部３の上下挟持板３１，３２が、横葺き屋根の巻きハゼａに対応する位置まで連結杆２を回動させ、当該回動角度でナット１４を緊締して、連結杆２を固定する。更に上下挟持板３１，３２で巻きハゼａを挟持すると共に緊締ナット３４を緊締して、連結杆２と屋根装着部３とを連結固定する。
【００１６】
従って筒網体１の設置箇所を任意としても、連結杆２の回動並びに屋根装着部３の回動で、巻きハゼａに対して正対して挟持固定することができ、特に前記実施形態では、上下挟持板３１，３２の挟持動作と連結杆２の固定動作を一緒にできるので、操作性の点で優れている。
【００１７】
また連結杆２のベース縦杆１２との連結は、複数のベース縦杆１２のいずれの縦杆と連結しても良い。
【００１８】
更に波板１５を筒網体の下面に配設することで、筒網体１の筒網部分を通過した積雪は、波板１５上に積もり、波板１５の下面を空気が流れて、波板上の積雪の融雪が促進される作用がある。
【００１９】
尚本発明は前記の実施形態に限定されるものではなく、連結杆２と屋根装着部３との回動固定構造は、挟持操作と兼ねることなく、挟持機構と回動連結機構を各独立して設ける構造でも良い。
【図面の簡単な説明】
【００２０】
【図１】本発明の実施形態の全体斜視図。
【図２】同平面図。
【図３】同側面図（屋根装着状態の説明図）。
【図４】同側面図（筒網体の説明図）。
【符号の説明】
【００２１】
１        筒網体
１１      ベース横杆
１２      ベース縦杆
１３      ボルト
１４      ナット
１５      波板
１６      膨出縦杆
１７      網横杆
１８      網板
２        連結杆
３        屋根装着部
３１      上部挟持板
３２      下部挟持板
３３      貫通ボルト
３４      緊締ナット
【図１】
2005048424.tif 000003
【図２】
2005048424.tif 000004
【図３】
2005048424.tif 000005
【図４】
2005048424.tif 000006